【手続補正書】
【提出日】令和1年10月7日(2019.10.7)
【手続補正１】
【補正対象書類名】明細書
【補正対象項目名】発明の名称
【補正方法】変更
【補正の内容】
【発明の名称】印刷装置およびその制御方法、並びにプログラム
【手続補正２】
【補正対象書類名】明細書
【補正対象項目名】０００１
【補正方法】変更
【補正の内容】
【０００１】
本発明は、印刷装置およびその制御方法、並びにプログラムに関し、特に、中綴じ処理が可能な後処理装置が接続可能な印刷装置およびその制御方法、並びにプログラムに関する。
【手続補正３】
【補正対象書類名】明細書
【補正対象項目名】０００６
【補正方法】変更
【補正の内容】
【０００６】
しかしながら、図２３のような構成の後処理装置を用いて中綴じ可能枚数の制限を超える画像データが入力された場合、排紙先を中綴じ処理トレイから積載トレイに自動的に切り替えると、ユーザの意図した成果物が得られないという問題がある。
【手続補正４】
【補正対象書類名】明細書
【補正対象項目名】０００７
【補正方法】変更
【補正の内容】
【０００７】
また、意図した成果物でなかったとしても積載トレイへの排紙だけは完了させてオフラインで後処理を行う場合、中綴じ処理トレイに排紙する場合と同じ画像形成順序で画像形成を実行すると、ユーザが成果物の順序を手作業で入れ替える必要がある。そのため、非常に煩わしい。
【手続補正５】
【補正対象書類名】明細書
【補正対象項目名】０００８
【補正方法】変更
【補正の内容】
【０００８】
本発明は上記問題に鑑みて成されたものであり、その目的は、中綴じ可能枚数の制限を超える画像データが入力された場合に中綴じ処理を解除しても排紙先に応じて最適な画像レイアウトの成果物が得られる画像形成装置（印刷装置）を提供することである。
【手続補正６】
【補正対象書類名】明細書
【補正対象項目名】０００９
【補正方法】変更
【補正の内容】
【０００９】
上記目的を達成するために、本発明の印刷装置は、第１のトレイ、第２のトレイ、及び中綴じ手段を有する後処理装置であって、印刷装置から搬送された用紙を反転させずに前記第１のトレイに排出することが可能であり、且つ、前記印刷装置から搬送された用紙を反転させて当該反転された用紙に前記中綴じ手段を用いて前記中綴じ処理を実行し、前記中綴じ処理が実行された用紙を前記第２のトレイに排出することが可能である後処理装置と接続可能な印刷装置であって、用紙に画像を印刷する印刷手段と、本文用紙と表紙に画像を印刷するとともに当該本文用紙と表紙とから構成される用紙束に前記中綴じ処理を実行する印刷ジョブを受け付ける受付手段と、制御手段とを備え、前記制御手段は、前記受付手段により前記印刷ジョブを受け付けた場合において、前記用紙束における用紙枚数が前記中綴じ処理を実行可能な枚数を超えない場合には、前記本文用紙への印刷を実行した後に前記表紙への印刷を実行するように前記印刷手段を制御し、且つ、前記本文用紙及び前記表紙を含む用紙束に前記中綴じ処理を実行して前記第２のトレイに排出するように前記後処理装置を制御し、前記受付手段により前記印刷ジョブを受け付けた場合において、前記用紙束における用紙枚数が前記中綴じ処理を実行可能な枚数を超える場合には、警告情報、および、第１の選択項目と第２の選択項目とを含む選択肢を表示部に表示し、前記選択肢から前記第１の選択項目が選択された場合には、前記表紙への印刷を実行した後に前記本文用紙への印刷を実行するように前記印刷手段を制御し、且つ、前記表紙及び前記本文用紙を含む用紙束に前記中綴じ処理を実行することなく前記用紙束を前記第１のトレイに排出するように前記後処理装置を制御し、前記選択肢から前記第２の選択項目が選択された場合には、前記印刷ジョブを中止させることを特徴とする。
【手続補正７】
【補正対象書類名】明細書
【補正対象項目名】００１０
【補正方法】変更
【補正の内容】
【００１０】
本発明によれば、中綴じ可能枚数の制限を超えた場合に、ユーザの意向にあった選択を柔軟に行うことができる。
【手続補正８】
【補正対象書類名】特許請求の範囲
【補正対象項目名】全文
【補正方法】変更
【補正の内容】
【特許請求の範囲】
【請求項１】
第１のトレイ、第２のトレイ、及び中綴じ手段を有する後処理装置であって、印刷装置から搬送された用紙を反転させずに前記第１のトレイに排出することが可能であり、且つ、前記印刷装置から搬送された用紙を反転させて当該反転された用紙に前記中綴じ手段を用いて前記中綴じ処理を実行し、前記中綴じ処理が実行された用紙を前記第２のトレイに排出することが可能である後処理装置と接続可能な印刷装置であって、
用紙に画像を印刷する印刷手段と、
本文用紙と表紙に画像を印刷するとともに当該本文用紙と表紙とから構成される用紙束に前記中綴じ処理を実行する印刷ジョブを受け付ける受付手段と、
制御手段とを備え、
前記制御手段は、
前記受付手段により前記印刷ジョブを受け付けた場合において、前記用紙束における用紙枚数が前記中綴じ処理を実行可能な枚数を超えない場合には、前記本文用紙への印刷を実行した後に前記表紙への印刷を実行するように前記印刷手段を制御し、且つ、前記本文用紙及び前記表紙を含む用紙束に前記中綴じ処理を実行して前記第２のトレイに排出するように前記後処理装置を制御し、
前記受付手段により前記印刷ジョブを受け付けた場合において、前記用紙束における用紙枚数が前記中綴じ処理を実行可能な枚数を超える場合には、警告情報、および、第１の選択項目と第２の選択項目とを含む選択肢を表示部に表示し、前記選択肢から前記第１の選択項目が選択された場合には、前記表紙への印刷を実行した後に前記本文用紙への印刷を実行するように前記印刷手段を制御し、且つ、前記表紙及び前記本文用紙を含む用紙束に前記中綴じ処理を実行することなく前記用紙束を前記第１のトレイに排出するように前記後処理装置を制御し、前記選択肢から前記第２の選択項目が選択された場合には、前記印刷ジョブを中止させる、
ことを特徴とする印刷装置。
【請求項２】
前記中綴じ処理は、綴じ処理と折り処理を含むことを特徴とする請求項１に記載の印刷装置。
【請求項３】
前記後処理装置の用紙の反転は、１枚ごとに行われることを特徴とする請求項１又は２に記載の印刷装置。
【請求項４】
原稿上の画像を読み取る読取手段を更に備え、
前記印刷ジョブは、前記読取手段によって読み取られた画像を印刷するジョブであることを特徴とする請求項１乃至３のいずれか１項に記載の印刷装置。
【請求項５】
前記制御手段は、前記読取手段によって読み取られた原稿の画像のページ数に基づいて、前記用紙束における用紙枚数を算出することを特徴とする請求項４に記載の印刷装置。
【請求項６】
前記印刷手段は、用紙の両面に画像を印刷することが可能であることを特徴とする請求項１乃至５のいずれか１項に記載の印刷装置。
【請求項７】
前記受付手段は、前記本文用紙と表紙に画像を印刷するとともに当該本文用紙と表紙とから構成される用紙束に前記中綴じ処理を実行することなく排出する他の印刷ジョブを受け付けることが可能であり、前記受付手段により当該他の印刷ジョブを受け付けた場合、前記制御手段は、前記印刷手段によって画像が印刷された用紙を前記第１のトレイに排出するように前記後処理装置を制御することを特徴とする請求項１乃至６のいずれか１項に記載の印刷装置。
【請求項８】
前記表紙に画像を印刷するか否かを指定可能であることを特徴とする請求項１乃至７のいずれか１項に記載の印刷装置。
【請求項９】
前記第１の選択項目は、前記第１のトレイに排紙する旨の選択項目であることを特徴とする請求項１乃至８のいずれか１項に記載の印刷装置。
【請求項１０】
前記第２の選択項目は、印刷ジョブを中止する旨の選択項目であることを特徴とする請求項１乃至９のいずれか１項に記載の印刷装置。
【請求項１１】
前記制御手段は、前記受付手段により前記印刷ジョブを受け付けた場合において、前記用紙束における用紙枚数が前記中綴じ処理を実行可能な枚数を超えない場合には、当該本文用紙のうちの内側用紙への印刷を実行した後に、外側用紙への印刷を実行し、
前記受付手段により前記印刷ジョブを受け付けた場合において、前記用紙束における用紙枚数が前記中綴じ処理を実行可能な枚数を超え、且つ、前記第１の選択項目が選択された場合には、当該本文用紙のうちの外側用紙への印刷を実行した後に、内側用紙への印刷を実行するように前記印刷手段を制御することを特徴とする請求項１乃至１０のいずれか１項に記載の印刷装置。
【請求項１２】
第１のトレイ、第２のトレイ、及び中綴じ手段を有する後処理装置であって、印刷装置から搬送された用紙を反転させずに前記第１のトレイに排出することが可能であり、且つ、前記印刷装置から搬送された用紙を反転させて当該反転された用紙に前記中綴じ手段を用いて前記中綴じ処理を実行し、前記中綴じ処理が実行された用紙を前記第２のトレイに排出することが可能である後処理装置と接続可能な印刷装置の制御方法であって、  
用紙に画像を印刷する印刷工程と、
本文用紙と表紙に画像を印刷するとともに当該本文用紙と表紙とから構成される用紙束に前記中綴じ処理を実行する印刷ジョブを受け付ける受付工程と、
前記受付工程により前記印刷ジョブを受け付けた場合において、前記用紙束における用紙枚数が前記中綴じ処理を実行可能な枚数を超えない場合には、前記本文用紙への印刷を実行した後に前記表紙への印刷を実行するように前記印刷工程を制御し、且つ、前記本文用紙及び前記表紙を含む用紙束に前記中綴じ処理を実行して前記第２のトレイに排出するように前記後処理装置を制御する工程と、
前記受付工程により前記印刷ジョブを受け付けた場合において、前記用紙束における用紙枚数が前記中綴じ処理を実行可能な枚数を超える場合には、警告情報、および、第１の選択項目と第２の選択項目とを含む選択肢を表示部に表示し、前記選択肢から前記第１の選択項目が選択された場合には、前記表紙への印刷を実行した後に前記本文用紙への印刷を実行するように前記印刷工程を制御し、且つ、前記表紙及び前記本文用紙を含む用紙束に前記中綴じ処理を実行することなく前記用紙束を前記第１のトレイに排出するように前記後処理装置を制御し、前記選択肢から前記第２の選択項目が選択された場合には、前記印刷ジョブを中止させる工程と、
を備えることを特徴とする制御方法。
【請求項１３】
第１のトレイ、第２のトレイ、及び中綴じ手段を有する後処理装置であって、印刷装置から搬送された用紙を反転させずに前記第１のトレイに排出することが可能であり、且つ、前記印刷装置から搬送された用紙を反転させて当該反転された用紙に前記中綴じ手段を用いて前記中綴じ処理を実行し、前記中綴じ処理が実行された用紙を前記第２のトレイに排出することが可能である後処理装置と接続可能な印刷装置の制御方法をコンピュータに実行させるためのプログラムであって、
前記制御方法は、
用紙に画像を印刷する印刷工程と、
本文用紙と表紙に画像を印刷するとともに当該本文用紙と表紙とから構成される用紙束に前記中綴じ処理を実行する印刷ジョブを受け付ける受付工程と、
前記受付工程により前記印刷ジョブを受け付けた場合において、前記用紙束における用紙枚数が前記中綴じ処理を実行可能な枚数を超えない場合には、前記本文用紙への印刷を実行した後に前記表紙への印刷を実行するように前記印刷工程を制御し、且つ、前記本文用紙及び前記表紙を含む用紙束に前記中綴じ処理を実行して前記第２のトレイに排出するように前記後処理装置を制御する工程と、
前記受付工程により前記印刷ジョブを受け付けた場合において、前記用紙束における用紙枚数が前記中綴じ処理を実行可能な枚数を超える場合には、警告情報、および、第１の選択項目と第２の選択項目とを含む選択肢を表示部に表示し、前記選択肢から前記第１の選択項目が選択された場合には、前記表紙への印刷を実行した後に前記本文用紙への印刷を実行するように前記印刷工程を制御し、且つ、前記表紙及び前記本文用紙を含む用紙束に前記中綴じ処理を実行することなく前記用紙束を前記第１のトレイに排出するように前記後処理装置を制御し、前記選択肢から前記第２の選択項目が選択された場合には、前記印刷ジョブを中止させる工程と、
を備えることを特徴とするプログラム。